(57)【要約】【課題】糖尿病の診断評価の指標であるＨｂＡ１ｃの、ＪＤＳ値と国際標準値、ｅＡＧ値、ＧＡ値への換算値が、容易に求められるスケールの提供。【解決手段】鞘状をなし、内部に後記滑り尺を有する固定尺２と、その中を、左右自在に動く滑り尺１０からなる。固定尺２には、上下に３つの開口窓を有し、上方に窓３、その下方に窓４、窓５、を形成し、窓３の上縁にＪＤＳ値矢印６を、窓３の下縁に国際標準値矢印７を、窓４の上縁にｅＡＧ値矢印８を、窓５の上縁にＧＡ値矢印９を表示する。滑り尺１０に、固定尺２の窓３から露出する部分に、窓上縁に沿ってＪＤＳ値目盛り１１を、窓３から露出する部分に、窓下縁に沿って国際標準値目盛り１２を、窓４から露出する部分に、窓上縁に沿ってｅＡＧ値目盛り１３を、窓５から露出する部分に窓上縁に沿ってＧＡ値目盛り１４を表示する。【選択図】図１
0003169473.tif 000002
【実用新案登録請求の範囲】
【請求項１】
ＨｂＡ１ｃ（ＪＤＳ値）とＨｂＡ１ｃ（国際標準値）、ｅＡＧ値、ＧＡ値への換算値が容易に求められるＨｂＡ１ｃ（ＪＤＳ値・国際標準値）・ｅＡＧ値・ＧＡ値換算スケールであって、前記換算値の目盛り合わせ、目盛り読み取りをするＪＤＳ値矢印、国際標準値矢印、ｅＡＧ値矢印、ＧＡ値矢印、を有する第１スケールと、
前記換算値のＪＤＳ値、国際標準値、ｅＡＧ値、ＧＡ値を等間隔目盛りで表した第２スケールと、を備え、
前記ＪＤＳ値矢印とＪＤＳ値目盛りとを、前記国際標準値矢印と国際標準値目盛りとを、
前記ｅＡＧ値矢印とｅＡＧ値目盛りとを、前記ＧＡ値矢印とＧＡ値目盛りとを、
目盛り合わせ及び、目盛り読み取り可能に対応させ、
且つ前記第１スケール及び前記第２スケールの一方を固定尺とし、他方を滑り尺としたことを特徴とする、ＨｂＡ１ｃ（ＪＤＳ値・国際標準値）・ｅＡＧ値・ＧＡ値換算スケール。
【請求項２】
請求項１に記載の、第２スケールに表したＪＤＳ値目盛り、国際標準値目盛り、ｅＡＧ値目盛り、ＧＡ値目盛りは、Ｘ軸上どの点でも、Ｙ軸線上に換算値を表す事を特徴とするＨｂＡ１ｃ（ＪＤＳ値・国際標準値）・ｅＡＧ値・ＧＡ値換算スケール。
【考案の詳細な説明】
【技術分野】
【０００１】    本考案は、糖尿病の血糖コントロールの指標としてＨｂＡ１ｃ値、血糖値、グリコアルブミン値があり、ＨｂＡ１ｃには、従来より日本の標準物質、測定法にて測定したＪＤＳ値、本来の国際標準値である、ＮＧＳＰ値があり、このＨｂＡ１ｃ（ＪＤＳ値）と、糖尿病学会で定めたＮＧＳＰ値に相当するＨｂＡ１ｃ（国際標準値）、推定平均血糖（ｅＡＧ）値、グリコアルブミン（ＧＡ）値への換算スケールに関するもの。
【背景技術】
【０００２】    この種のスケールとして、対象者の体重及び身長から体表面積を求め、同時に薬剤の投与量を求めるものが知られている。
【特許文献１】  実用新案登録第３１３３７６１号
【考案の開示】
【考案が解決しようとする課題】
【０００３】    血糖コントロールの指標の一つとしてヘモグロビンＡ１ｃ（ＨｂＡ１Ｃ）があり、日本（ＪＤＳ値）、と本来の国際標準値（ＮＧＳＰ値）は数１で換算される。２０１０年糖尿病学会は、ＮＧＳＰ相当値としてＨｂＡ１Ｃ（国際標準値）と名称しＨｂＡ１ｃ（ＪＤＳ値）から数２の式により推算するとした。
【数１】
0003169473.tif 000003
【数２】
0003169473.tif 000004
【０００４】    糖尿病の診断基準として血糖値（ｍｇ／ｄｌ）がありＨｂＡ１ｃから推定平均血糖値（ｅＡＧ）は下記数３推算式により算出、と２００８年文献で発表されている。
【数３】
0003169473.tif 000005
ＨｂＡ１ｃ（ＪＤＳ値）からｅＡＧを求める式は数１、数３より
【数４】
0003169473.tif 000006
数１、数３の計算を行わず、ＨｂＡ１ｃ（ＪＤＳ値）から推定平均血糖（ｅＡＧ）値への換算値を求められる従来のようなスケールは、存在しない。【０００５】    糖尿病のさらに別の診断基準としてグリコアルブミン（ＧＡ）値（％）がある。ＧＡ値（％）からＨｂＡ１ｃ（ＪＤＳ値）（％）への換算式は下記数５により算出、と２００９年文献で発表されている。
【数５】
0003169473.tif 000007
【０００６】数５の式からＨｂＡ１ｃ（ＪＤＳ値）からＧＡ値への換算式は下記、数６となる。
【数６】
0003169473.tif 000008
数６の計算を行わず、ＨｂＡ１ｃ（ＪＤＳ値）値からＧＡ値への換算値を求められる従来のようなスケールは、存在しない。【０００７】    本考案は、固定尺と滑り尺を用いることにより、電卓等で計算をすることなく、誰でも簡単にＨｂＡ１ｃ（ＪＤＳ値）とＨｂＡ１ｃ（国際標準値）、ｅＡＧ値、ＧＡ値への換算値が容易に求められるＨｂＡ１ｃ（ＪＤＳ値・国際標準値）・ｅＡＧ値・ＧＡ値換算スケールの提供を目的としている。
【課題を解決するための手段】
【０００８】    本考案の要旨とするところは、鞘状になった固定尺と、その中を、長さ方向に滑る、滑り尺とで構成し、この固定尺に、ＪＤＳ値矢印、国際標準値矢印、ｅＡＧ値矢印、ＧＡ値矢印を表示し、滑り尺に、均等目盛で作成されたＪＤＳ値目盛り、国際標準値目盛り、ｅＡＧ値目盛り、ＧＡ値目盛りを表示する。滑り尺を動かし固定尺の一番上方の窓部上縁のＪＤＳ値矢印の矢印点に、滑り尺のＪＤＳ値目盛り、の目盛り線を合わせ、固定尺の各窓部にある矢印の矢印点と接した、滑り尺の目盛り線を読み取る事により数２、数４、数６の計算値が容易に求められる、ＨｂＡ１ｃ（ＪＤＳ値・国際標準値）・ｅＡＧ値・ＧＡ値換算スケール。
【考案の効果】
【０００９】    本考案は上記のような構成、機能であるから、誰でも簡単な操作によりＨｂＡ１ｃのＪＤＳ値と国際標準値、ｅＡＧ値、ＧＡ値への換算値が容易に求められるものである。
【考案を実施するための最良の形態】
【００１０】    鞘状になった固定尺と、その固定尺の中を、長さ方向に滑る、滑り尺とで構成され、固定尺の表面に、上下に３つの長方形の開口窓を有する。一番上の上下幅の大きい窓上縁部中央にＪＤＳ値矢印を表示し、一番上の窓下縁部中央に国際標準値矢印、上から二番目の窓上縁部中央に、ｅＡＧ値矢印、一番下の窓上縁部中央にＧＡ値矢印を表示し、他方前記滑り尺の表面に、固定尺の一番上の窓の上縁から露出する部分に窓の上縁に沿ってＪＤＳ値目盛り、一番上の窓の下縁から露出する部分に、窓の下縁に沿って国際標準値目盛り、上から二番目の窓から露出する部分に窓の上縁に沿ってｅＡＧ値目盛り、一番下の窓から露出する部分に、窓の上縁に沿ってＧＡ値目盛りを表示する。
【実施例】
【００１１】    以下、本考案の実施の形態について、図面を参照し説明します。
図１は本考案の正面図、図２は固定尺の正面図、図３は滑り尺の正面図である。図４は本考案例での各矢印の設定位置を表した固定尺の正面図、図５は本考案例での各目盛りの設定位置を表した滑り尺の正面図である。【００１２】    図中１は、ＨｂＡ１ｃ（ＪＤＳ値・国際標準値）・ｅＡＧ値・ＧＡ値換算スケールであり、後記固定尺と滑り尺からなるものである。【００１３】    ２は鞘状で、内部を長さ方向に滑り尺１０が自由に動く固定尺で、表面一番上に上下幅の大きい長方形の窓３を有し、窓の上縁部中央にＪＤＳ値矢印６を表示する。この窓３の下縁部中央に国際標準値矢印７を有し、上から二番目に長方形の窓４を有し、窓の上縁部中央に、ｅＡＧ値矢印８を有し、一番下に長方形の窓５を有し、窓の上縁部中央にＧＡ値矢印９を表示する。ＪＤＳ値矢印６、国際標準値矢印７、ｅＡＧ値矢印８、ＧＡ値矢印９は、図４の点線Ｙ１通りＹ軸上に直線上の位置とする。【００１４】    １０は前記固定尺の内部を長さ方向に可動する滑り尺である。滑り尺１０の表面一番上には、固定尺２の一番上の窓３の上縁に露出する様、均等目盛りで表されたＪＤＳ値目盛り１１を表示し、滑り尺１０の上から二番目には、一番上の窓３の下縁に露出する様、均等目盛りで表された国際標準値目盛り１２を表示し、滑り尺１０の上から三番目には、固定尺２の上から二番目の窓４の上縁に露出する様、均等目盛で表されたｅＡＧ値目盛り１３を表示し、滑り尺１０の表面一番下には、固定尺２の一番下にある窓５の上縁に露出する様、均等目盛で表されたＧＡ値目盛り１４を表示する。【００１５】    ＪＤＳ値目盛りを基本目盛りとし、国際標準値目盛りは、ＪＤＳ値目盛りの目盛りを表示する数字の方向を上下逆にし、Ｙ軸上の設定位置をＸ軸上、左方向に、０．４ずらすことにより、数２の計算機能を果たす。ｅＡＧ値目盛り、ＧＡ値目盛りの２つの目盛りは、均等目盛であるが、ＪＤＳ値目盛りを基準として、それぞれ下記表の通りの縮小率で縮小して作製し、それぞれの目盛りのＸ軸方向の設定位置を決めることにより、数４、数６の計算機能の答えである目盛り数値が、Ｘ軸上どの点でもＹ軸の直線上に表される。【００１６】    ＪＤＳ値に対するｅＡＧ値は数４の通りＪＤＳ値に２９．２４５３を乗じた式となる。その２９．２４５３の逆数は約０．０３４１９となり、ＪＤＳ値目盛りを３４．１９％に縮小した均等目盛のｅＡＧ値目盛りを作製し、目盛の数値の桁は２桁からとし、７０〜３２０のｅＡＧ値目盛りを作製する。ＪＤＳ値７．０の時のｅＡＧ値は数４より、約１６６．６３となりこの点を後記、設定点とする。ＪＤＳ値に対するＧＡ値は数６よりＪＤＳ値を０．２４５除した式となるので、ＪＤＳ値目盛りを２４．５％に縮小し、９〜４２を表す均等目盛としＧＡ値目盛りを作製する。ＪＤＳ値７．０の時のＧＡ値は数６より約２１．５１となり、この点を後記、設定点とする。ＪＤＳ値、国際標準値、ｅＡＧ値、ＧＡ値の４つの目盛りの表示範囲、目盛りの縮小率、最小目盛り線は表１の様に設定し、４種の目盛りの方向は、同一方向に数字が上がる順方向とする。
【表１】
0003169473.tif 000009
【００１７】    固定尺のＪＤＳ値矢印、国際標準値矢印、ｅＡＧ値矢印、ＧＡ値矢印のＸ軸方向の設定位置は、図４でのＹ１の点線の様に４つの矢印点は直線上とする。図５の４種の目盛りのＸ軸方向の設定位置はＹ１の基準点線上が、各数式の換算値となるように設定する。基準目盛りのＪＤＳ値目盛りは、７．０の目盛り線がＹ１の点線上となる様に設定する。国際標準値目盛りのＸ軸方向の設定位置は、Ｙ１に国際標準値目盛りの７．４となるよう設定する。これは数２の式よりＪＤＳ値７．０の値は、国際標準値７．４となる事による。ｅＡＧ値目盛りのＸ軸方向の設定位置は、Ｙ１にｅＡＧ値目盛りの、１６６．６３となるよう設定する。これは数４式よりＪＤＳ値７．０のｅＡＧ値は、約１６６．６３となる事による。ＧＡ値目盛りのＸ軸方向の設定位置は、Ｙ１にＧＡ値目盛りの２１．５１となるよう設定する。これは数６式よりＪＤＳ値７．０のＧＡ値は約２１．５１となる事による。【００１８】    このようにして作製し、Ｘ軸方向の位置を設定した４種の目盛りは、Ｘ軸方向のどの点でも、Ｙ軸上に換算式で得られる換算値を示す。作製した４つの目盛りは、全てを同じ比率で縮小、拡大しても同じ換算値が得られる機能を果たす。【００１９】    この例ではＪＤＳを値設定したとき、数２、数４、数６、式により得られる換算値の国際標準値、ｅＡＧ値、ＧＡ値を読み取れるとしたが、前項通り４種の目盛りはＹ軸上に全て換算式で得られる換算値となる事から、ＧＡ値の矢印点と、ＧＡ値の目盛り線とを合わせ、ＪＤＳ値矢印の矢印点に接したＪＤＳ値目盛りを読み取る事により、数５の計算によるＪＤＳ値への換算値も求められる。【００２０】    次に本考案の使用方法について説明する。
図１において滑り尺１０を動かして、固定尺２の一番上に位置する窓３の上縁に表示された、ＪＤＳ値矢印６の矢印点と、滑り尺１０に表示されたＪＤＳ値目盛り１１の、目盛り線を合わせた状態で、固定尺２の窓３の下縁に表示された矢印７の矢印点に接する、滑り尺１０に表示された国際標準値目盛り１２を読み取り、国際標準値が求められる。固定尺２の上から二番目の窓４の上縁に表示されたｅＡＧ値矢印８の矢印点に接する、滑り尺１０に表示されたｅＡＧ値目盛り１３を読み取り、ｅＡＧ値が求められる。固定尺２の一番下の窓５の上縁に表示されたＧＡ値矢印９の矢印点に接する、滑り尺１０に表示されたＧＡ値目盛り１４を読み取り、ＧＡ値が求められる。
【図面の簡単な説明】
【００２１】
【図１】本考案の正面図である。
【図２】固定尺の正面図である。
【図３】滑り尺の正面図である。
【図４】本考案での各矢印の位置設定を表した固定尺の正面図である。
【図５】本考案での各目盛りの位置設定を表した滑り尺の正面図である。
【符号の説明】
【００２２】    １    ＨｂＡ１ｃ（ＪＤＳ値・国際標準値）・ｅＡＧ値・ＧＡ値換算スケール
２    固定尺
３    窓
４    窓
５    窓
６    ＪＤＳ値矢印
７    国際標準値矢印
８    ｅＡＧ値矢印
９    ＧＡ値矢印
１０    滑り尺
１１    ＪＤＳ値目盛り
１２    国際標準値目盛り
１３    ｅＡＧ値目盛り
１４    ＧＡ値目盛り
Ｙ１    ＪＤＳ値矢印、国際標準値矢印、ｅＡＧ値読矢印、ＧＡ値矢印の位置関係、ＪＤＳ値目盛り、国際標準値目盛り、ｅＡＧ値目盛り、ＧＡ値目盛りの位置関係を示す点線
【図１】
0003169473.tif 000010
【図２】
0003169473.tif 000011
【図３】
0003169473.tif 000012
【図４】
0003169473.tif 000013
【図５】
0003169473.tif 000014
【手続補正書】
【提出日】平成23年5月16日(2011.5.16)
【手続補正１】
【補正対象書類名】明細書
【補正対象項目名】全文
【補正方法】変更
【補正の内容】
【考案の詳細な説明】
【技術分野】
【０００１】  本考案は、糖尿病の血糖コントロールの指標としてＨｂＡ１ｃ値、血糖値、グリコアルブミン値があり、ＨｂＡ１ｃには、従来より日本の標準物質、測定法にて測定したＪＤＳ値、本来の国際標準値である、ＮＧＳＰ値があり、このＨｂＡ１ｃ（ＪＤＳ値）と、糖尿病学会で定めたＮＧＳＰ値に相当するＨｂＡ１ｃ（国際標準値）、推定平均血糖（ｅＡＧ）値、グリコアルブミン（ＧＡ）値への換算スケールに関するもの。
【背景技術】
【０００２】  この種のスケールとして、対象者の体重及び身長から体表面積を求め、同時に薬剤の投与量を求めるものが知られている。
【先行技術文献】
【特許文献】
【０００３】
【特許文献１】  実用新案登録第３１３３７６１号
【考案の概要】
【考案が解決しようとする課題】
【０００４】  血糖コントロールの指標の一つとしてヘモグロビンＡ１ｃ（ＨｂＡ１Ｃ）があり、日本（ＪＤＳ値）、と本来の国際標準値（ＮＧＳＰ値）は数１で換算される。２０１０年糖尿病学会は、ＮＧＳＰ相当値としてＨｂＡ１Ｃ（国際標準値）と名称しＨｂＡ１ｃ（ＪＤＳ値）から数２の式により推算するとした。【０００５】
【数１】
0003169473.tif 000015
【０００６】
【数２】
0003169473.tif 000016
【０００７】  糖尿病の診断基準として血糖値（ｍｇ／ｄｌ）がありＨｂＡ１ｃから推定平均血糖値（ｅＡＧ）は下記数３推算式により算出、と２００８年文献で発表されている。【０００８】
【数３】
0003169473.tif 000017
【０００９】  ＨｂＡ１ｃ（ＪＤＳ値）からｅＡＧを求める式は数１、数３より【００１０】
【数４】
0003169473.tif 000018
【００１１】  数１、数３の計算を行わず、ＨｂＡ１ｃ（ＪＤＳ値）から推定平均血糖（ｅＡＧ）値への換算値を求められる従来のようなスケールは、存在しない。【００１２】  糖尿病のさらに別の診断基準としてグリコアルブミン（ＧＡ）値（％）がある。ＧＡ値（％）からＨｂＡ１ｃ（ＪＤＳ値）（％）への換算式は下記数５により算出、と２００９年文献で発表されている。【００１３】
【数５】
0003169473.tif 000019
【００１４】  数５の式からＨｂＡ１ｃ（ＪＤＳ値）からＧＡ値への換算式は下記、数６となる。【００１５】
【数６】
0003169473.tif 000020
【００１６】  数６の計算を行わず、ＨｂＡ１ｃ（ＪＤＳ値）値からＧＡ値への換算値を求められる従来のようなスケールは、存在しない。【００１７】  本考案は、固定尺と滑り尺を用いることにより、電卓等で計算をすることなく、誰でも簡単にＨｂＡ１ｃ（ＪＤＳ値）とＨｂＡ１ｃ（国際標準値）、ｅＡＧ値、ＧＡ値への換算値が容易に求められるＨｂＡ１ｃ（ＪＤＳ値・国際標準値）・ｅＡＧ値・ＧＡ値換算スケールの提供を目的としている。
【課題を解決するための手段】
【００１８】  本考案の要旨とするところは、鞘状になった固定尺と、その中を、長さ方向に滑る、滑り尺とで構成し、この固定尺に、ＪＤＳ値矢印、国際標準値矢印、ｅＡＧ値矢印、ＧＡ値矢印を表示し、滑り尺に、均等目盛で作成されたＪＤＳ値目盛り、国際標準値目盛り、ｅＡＧ値目盛り、ＧＡ値目盛りを表示する。滑り尺を動かし固定尺の一番上方の窓部上縁のＪＤＳ値矢印の矢印点に、滑り尺のＪＤＳ値目盛り、の目盛り線を合わせ、固定尺の各窓部にある矢印の矢印点と接した、滑り尺の目盛り線を読み取る事により数２、数４、数６の計算値が容易に求められる、ＨｂＡ１ｃ（ＪＤＳ値・国際標準値）・ｅＡＧ値・ＧＡ値換算スケール。
【考案の効果】
【００１９】  本考案は上記のような構成、機能であるから、誰でも簡単な操作によりＨｂＡ１ｃのＪＤＳ値と国際標準値、ｅＡＧ値、ＧＡ値への換算値が容易に求められるものである。
【考案を実施するための形態】
【００２０】  鞘状になった固定尺と、その固定尺の中を、長さ方向に滑る、滑り尺とで構成され、固定尺の表面に、上下に３つの長方形の開口窓を有する。一番上の上下幅の大きい窓上縁部中央にＪＤＳ値矢印を表示し、一番上の窓下縁部中央に国際標準値矢印、上から二番目の窓上縁部中央に、ｅＡＧ値矢印、一番下の窓上縁部中央にＧＡ値矢印を表示し、他方前記滑り尺の表面に、固定尺の一番上の窓の上縁から露出する部分に窓の上縁に沿ってＪＤＳ値目盛り、一番上の窓の下縁から露出する部分に、窓の下縁に沿って国際標準値目盛り、上から二番目の窓から露出する部分に窓の上縁に沿ってｅＡＧ値目盛り、一番下の窓から露出する部分に、窓の上縁に沿ってＧＡ値目盛りを表示する。
【実施例】
【００２１】  以下、本考案の実施の形態について、図面を参照し説明します。
図１は本考案の正面図、図２は固定尺の正面図、図３は滑り尺の正面図である。図４は本考案例での各矢印の設定位置を表した固定尺の正面図、図５は本考案例での各目盛りの設定位置を表した滑り尺の正面図である。【００２２】  図中１は、ＨｂＡ１ｃ（ＪＤＳ値・国際標準値）・ｅＡＧ値・ＧＡ値換算スケールであり、後記固定尺と滑り尺からなるものである。【００２３】  ２は鞘状で、内部を長さ方向に滑り尺１０が自由に動く固定尺で、表面一番上に上下幅の大きい長方形の窓３を有し、窓の上縁部中央にＪＤＳ値矢印６を表示する。この窓３の下縁部中央に国際標準値矢印７を有し、上から二番目に長方形の窓４を有し、窓の上縁部中央に、ｅＡＧ値矢印８を有し、一番下に長方形の窓５を有し、窓の上縁部中央にＧＡ値矢印９を表示する。ＪＤＳ値矢印６、国際標準値矢印７、ｅＡＧ値矢印８、ＧＡ値矢印９は、図４の点線Ｙ１通りＹ軸上に直線上の位置とする。【００２４】  １０は前記固定尺の内部を長さ方向に可動する滑り尺である。滑り尺１０の表面一番上には、固定尺２の一番上の窓３の上縁に露出する様、均等目盛りで表されたＪＤＳ値目盛り１１を表示し、滑り尺１０の上から二番目には、一番上の窓３の下縁に露出する様、均等目盛りで表された国際標準値目盛り１２を表示し、滑り尺１０の上から三番目には、固定尺２の上から二番目の窓４の上縁に露出する様、均等目盛で表されたｅＡＧ値目盛り１３を表示し、滑り尺１０の表面一番下には、固定尺２の一番下にある窓５の上縁に露出する様、均等目盛で表されたＧＡ値目盛り１４を表示する。【００２５】  ＪＤＳ値目盛りを基本目盛りとし、国際標準値目盛りは、ＪＤＳ値目盛りの目盛りを表示する数字の方向を上下逆にし、Ｙ軸上の設定位置をＸ軸上、左方向に、０．４ずらすことにより、数２の計算機能を果たす。ｅＡＧ値目盛り、ＧＡ値目盛りの２つの目盛りは、均等目盛であるが、ＪＤＳ値目盛りを基準として、それぞれ下記表の通りの縮小率で縮小して作製し、それぞれの目盛りのＸ軸方向の設定位置を決めることにより、数４、数６の計算機能の答えである目盛り数値が、Ｘ軸上どの点でもＹ軸の直線上に表される。【００２６】  ＪＤＳ値に対するｅＡＧ値は数４の通りＪＤＳ値に２９．２４５３を乗じた式となる。その２９．２４５３の逆数は約０．０３４１９となり、ＪＤＳ値目盛りを３４．１９％に縮小した均等目盛のｅＡＧ値目盛りを作製し、目盛の数値の桁は２桁からとし、７０〜３２０のｅＡＧ値目盛りを作製する。ＪＤＳ値７．０の時のｅＡＧ値は数４より、約１６６．６３となりこの点を後記、設定点とする。ＪＤＳ値に対するＧＡ値は数６よりＪＤＳ値を０．２４５除した式となるので、ＪＤＳ値目盛りを２４．５％に縮小し、９〜４２を表す均等目盛としＧＡ値目盛りを作製する。ＪＤＳ値７．０の時のＧＡ値は数６より約２１．５１となり、この点を後記、設定点とする。ＪＤＳ値、国際標準値、ｅＡＧ値、ＧＡ値の４つの目盛りの表示範囲、目盛りの縮小率、最小目盛り線は表１の様に設定し、４種の目盛りの方向は、同一方向に数字が上がる順方向とする。【００２７】
【表１】
0003169473.tif 000021
【００２８】  固定尺のＪＤＳ値矢印、国際標準値矢印、ｅＡＧ値矢印、ＧＡ値矢印のＸ軸方向の設定位置は、図４でのＹ１の点線の様に４つの矢印点は直線上とする。図５の４種の目盛りのＸ軸方向の設定位置はＹ１の基準点線上が、各数式の換算値となるように設定する。基準目盛りのＪＤＳ値目盛りは、７．０の目盛り線がＹ１の点線上となる様に設定する。国際標準値目盛りのＸ軸方向の設定位置は、Ｙ１に国際標準値目盛りの７．４となるよう設定する。これは数２の式よりＪＤＳ値７．０の値は、国際標準値７．４となる事による。ｅＡＧ値目盛りのＸ軸方向の設定位置は、Ｙ１にｅＡＧ値目盛りの、１６６．６３となるよう設定する。これは数４式よりＪＤＳ値７．０のｅＡＧ値は、約１６６．６３となる事による。ＧＡ値目盛りのＸ軸方向の設定位置は、Ｙ１にＧＡ値目盛りの２１．５１となるよう設定する。これは数６式よりＪＤＳ値７．０のＧＡ値は約２１．５１となる事による。【００２９】  このようにして作製し、Ｘ軸方向の位置を設定した４種の目盛りは、Ｘ軸方向のどの点でも、Ｙ軸上に換算式で得られる換算値を示す。作製した４つの目盛りは、全てを同じ比率で縮小、拡大しても同じ換算値が得られる機能を果たす。【００３０】  この例ではＪＤＳを値設定したとき、数２、数４、数６、式により得られる換算値の国際標準値、ｅＡＧ値、ＧＡ値を読み取れるとしたが、前項通り４種の目盛りはＹ軸上に全て換算式で得られる換算値となる事から、ＧＡ値の矢印点と、ＧＡ値の目盛り線とを合わせ、ＪＤＳ値矢印の矢印点に接したＪＤＳ値目盛りを読み取る事により、数５の計算によるＪＤＳ値への換算値も求められる。【００３１】  次に本考案の使用方法について説明する。
図１において滑り尺１０を動かして、固定尺２の一番上に位置する窓３の上縁に表示された、ＪＤＳ値矢印６の矢印点と、滑り尺１０に表示されたＪＤＳ値目盛り１１の、目盛り線を合わせた状態で、固定尺２の窓３の下縁に表示された矢印７の矢印点に接する、滑り尺１０に表示された国際標準値目盛り１２を読み取り、国際標準値が求められる。固定尺２の上から二番目の窓４の上縁に表示されたｅＡＧ値矢印８の矢印点に接する、滑り尺１０に表示されたｅＡＧ値目盛り１３を読み取り、ｅＡＧ値が求められる。固定尺２の一番下の窓５の上縁に表示されたＧＡ値矢印９の矢印点に接する、滑り尺１０に表示されたＧＡ値目盛り１４を読み取り、ＧＡ値が求められる。
【図面の簡単な説明】
【００３２】
【図１】本考案の正面図である。
【図２】固定尺の正面図である。
【図３】滑り尺の正面図である。
【図４】本考案での各矢印の位置設定を表した固定尺の正面図である。
【図５】本考案での各目盛りの位置設定を表した滑り尺の正面図である。
【符号の説明】
【００３３】  １    ＨｂＡ１ｃ（ＪＤＳ値・国際標準値）・ｅＡＧ値・ＧＡ値換算スケール
２    固定尺
３    窓
４    窓
５    窓
６    ＪＤＳ値矢印
７    国際標準値矢印
８    ｅＡＧ値矢印
９    ＧＡ値矢印
１０  滑り尺
１１  ＪＤＳ値目盛り
１２  国際標準値目盛り
１３  ｅＡＧ値目盛り
１４  ＧＡ値目盛り
Ｙ１  ＪＤＳ値矢印、国際標準値矢印、ｅＡＧ値読矢印、ＧＡ値矢印の位置関係、ＪＤＳ値目盛り、国際標準値目盛り、ｅＡＧ値目盛り、ＧＡ値目盛りの位置関係を示す点線
【手続補正２】
【補正対象書類名】実用新案登録請求の範囲
【補正対象項目名】全文
【補正方法】変更
【補正の内容】
【実用新案登録請求の範囲】
【請求項１】
ＨｂＡ１ｃ（ＪＤＳ値）、ＨｂＡ１ｃ（国際標準値）、ｅＡＧ値およびＧＡ値の相互の換算値を求め得るＨｂＡ１ｃ（ＪＤＳ値・国際標準値）・ｅＡＧ値・ＧＡ値換算スケールであって、
前記換算値の目盛り合わせ、目盛り読み取りをするためのＪＤＳ値矢印、国際標準値矢印、ｅＡＧ値矢印およびＧＡ値矢印を有する第１スケールと、
前記換算値のＪＤＳ値、国際標準値、ｅＡＧ値およびＧＡ値を等間隔目盛りで且つ対応付けて表した第２スケールと、を備え、
前記ＪＤＳ値矢印とＪＤＳ値目盛りとを、前記国際標準値矢印と国際標準値目盛りとを、前記ｅＡＧ値矢印とｅＡＧ値目盛りとを、前記ＧＡ値矢印とＧＡ値目盛りとを、それぞれ目盛り合わせ及び、目盛り読み取り可能に対応させ、
且つ前記第１スケール及び前記第２スケールの一方を固定尺とし、他方を滑り尺としたことを特徴とする、ＨｂＡ１ｃ（ＪＤＳ値・国際標準値）・ｅＡＧ値・ＧＡ値換算スケール。
【請求項２】
前記第２スケールに表したＪＤＳ値目盛り、国際標準値目盛り、ｅＡＧ値目盛りおよびＧＡ値目盛りは、Ｘ軸上どの点でも、Ｙ軸線上に換算値を表すことを特徴とする、請求項１に記載のＨｂＡ１ｃ（ＪＤＳ値・国際標準値）・ｅＡＧ値・ＧＡ値換算スケール。